(57)【要約】【課題】従来の超音波美容器では、超音波発振プローブを腹巻等から取り外すことはできないので、他の目的に使用することはできず、又、超音波発振プローブが防水型になっていないので、水中に入れて使用することができないという問題があった。【解決手段】美容器本体１に電源２、操作部３がコントローラ部４に接続され、又、コントローラ部４に複数の発振器５1、５2、・・・、５nが接続され、これらの発振器５1、５2、・・・、５nにそれぞれケーブル６を介して超音波発振プローブ７1、７2、・・・、７nが接続されており、又、これらの超音波発振プローブ７は基盤７ａに金属ヘッド７ｂが防水モールド７ｃで完全防水され、又、基盤７ａにの裏面に着脱突起７ｄが装着され、又、基盤７ａにケーブル６が防水型に装着され、金属ヘッド７ｂの中に超音波振動子８が装着され、超音波振動子８にケーブル６のリード線６ａ、６ｂが接続されている。【選択図】        図１
2004195042.tif 000002
【特許請求の範囲】
【請求項１】
操作部が接続されたコントローラ部と、該コントローラ部に複数の発振器を接続した美容器本体と、前記発振器にそれぞれ接続され、超音波振動子を内蔵した金属ヘッドを表面に突出させ、該金属ヘッドを基盤に防水モールドで固着し、前記基盤の裏面に着脱部材を装着した完全防水型の超音波発振プローブとからなり、前記操作部で前記発振器を個別に駆動し、前記駆動された発振器に接続された超音波発振プローブで湯の中に入れて手又は足等をマッサージすることを特徴とする完全防水型超音波美容器。
【請求項２】
１つ又は複数の前記超音波発振プローブの着脱部材をシート状板の装着部材に装着して使用することを特徴とする請求項１記載の完全防水型の超音波美容器。
【請求項３】
１つ又は複数の前記超音波発振プローブを装着したシート状板を風呂やフットバスの中に入れて使用することを特徴とする請求項２記載の完全防水型の超音波美容器。
【発明の詳細な説明】
【０００１】
【発明が属する技術分野】
本発明は、超音波発振プローブを完全防水型にして湯の中で美容目的に使用可能にする完全防水型の超音波美容器に関するものである。
【０００２】
【従来の技術】
一般に、超音波美容器としては、複数の超音波発振プローブを腹巻等に装着して、これら複数の超音波発振プローブに発振出力を一度に印加するか、順番に１つづつ印加するように構成されている。
【０００３】
【発明が解決しようとする課題】
しかしながら、このような超音波美容器では、超音波発振プローブを腹巻等から取り外すことはできないので、他の目的に使用することはできず、又、超音波発振プローブが防水型になっていないので、水中に入れて使用することができないという問題があった。
【０００４】
【課題を解決しようとする手段】
本発明は、操作部が接続されたコントローラ部と、該コントローラ部に複数の発振器を接続した美容器本体と、前記発振器にそれぞれ接続され、超音波振動子を内蔵した金属ヘッドを表面に突出させ、該金属ヘッドを基盤に防水モールドで固着し、前記基盤の裏面に着脱部材を装着した完全防水型の超音波発振プローブとからなり、前記操作部で前記発振器を個別に駆動し、前記駆動された発振器に接続された超音波発振プローブで湯の中に入れて手又は足等をマッサージするするものであり、又、１つ又は複数の前記超音波発振プローブの着脱部材をシート状板の装着部材に装着して使用するものであり、さらに、１つ又は複数の前記超音波発振プローブを装着したシート状板を風呂やフットバスの中に入れて使用するものである。
【０００５】
【発明の実施の形態】
本発明では、超音波発振プローブを完全防水型とすることにより、操作部で設定することにより、適宜１つ又は複数の超音波発振プローブに発振出力を印加して、１つ又は複数の超音波発振プローブから超音波を発生させ、この超音波発振プローブを風呂の湯の中に入れて、足で踏んで適宜使用することができ、又、シート状板に装着して風呂の湯中で足や手や腰に巻き足や手をもみほぐしたり、マッサージをすることができる。
【０００６】
【実施例】
図１は本発明の実施例の完全防水型の超音波美容器の構成図、図２は図１の超音波発振プローブの斜視図、図３は超音波発振プローブ断面図で、美容器本体１に電源２、操作部３がコントローラ部４に接続され、又、コントローラ部４に複数の発振器５1、５2、・・・、５nが接続され、これらの発振器５1、５2、・・・、５nにそれぞれケーブル６を介して超音波発振プローブ７1、７2、・・・、７nが接続されており、又、これらの超音波発振プローブ７は基盤７ａに金属ヘッド７ｂが防水モールド７ｃで完全防水され、又、基盤７ａにの裏面に着脱突起７ｄが装着され、又、基盤７ａにケーブル６が防水型に装着され、金属ヘッド７ｂの中に超音波振動子８が装着され、超音波振動子８にケーブル６のリード線６ａ、６ｂが接続されている。
【０００７】
このように構成した本実施例の完全防水型の超音波美容器では、１つ又は複数の超音波発振プローブ７を駆動して、この駆動された超音波発振プローブ７を風呂の中やフツトバス等に入れて、超音波発振プローブ７を踏んだり、手で持って腹や手又は足に押し付けて筋肉を引き締めるように使用することができ、又、顔のしわ取りなどに使用することができ、さらに、図４に示すように、着脱孔９ａを設けたシート状板９に１つ又は複数の超音波発振プローブ７1、７2を装着することにより、この超音波発振プローブ７1、７2が装着されたシート状板９を風呂の中又に入れて手や足の筋肉を引き締めるように使用することができる。
【０００８】
なお、本実施例では、超音波発振プローブ７は美容器本体１に複数接続されているため、複数の超音波発振プローブを使用して、美容のために顔の肌を引き締めたり、腹や手足に押し付けたりして一度に多くの部分のマッサージをすることができ、又、上記実施例では、超音波発振プローブ７に着脱突起７ｄを装着し、シート状板９にシート状孔９ａを設けた例を示したが、着脱部材として、マジックテープ（登録商標）のようなものを使用することができる。
【０００９】
【発明の効果】
以上説明したように、本発明の完全防水型の超音波美容器では、超音波発振プローブを完全防水型にすることにより、風呂の湯の中やフツトバスの中で超音波発振プローブを身体の任意の位置に押圧して使用することができ、又、シート状板に装着して、手足に巻いて足や腕の筋肉をもみほぐすことができ、さらに、シート状板をバスタブに敷いて、背中等のマッサージをすることができ、さらに、風呂の中で手に持って、顔のマッサージ等に使用することができるという利点がある。
【図面の簡単な説明】
【図１】本発明の実施例の完全防水型の超音波美容器の構成図である。
【図２】図１の超音波美容器の超音波発振プローブの斜視図である。
【図３】図２の超音波発振プローブの断面図である。
【図４】図２の超音波発振プローブをシート状板に装着した平面図である。
【符号の説明】
１            美容器本体
２            電源
３            操作部
４            コントローラ部
５1〜５n      発振器
６            ケーブル
７1〜７n      超音波発振プローブ
８            超音波振動子
９            シート状板
【図１】
2004195042.tif 000003
【図２】
2004195042.tif 000004
【図３】
2004195042.tif 000005
【図４】
2004195042.tif 000006